(57)【要約】      （修正有）【課題】簡易かつ迅速に製造することができるマスクを提供する。【解決手段】マスクＭは、使用者の顔面の少なくとも一部を覆うためのマスク本体１と、このマスク本体１の両側に位置する耳掛け部２とを備えたマスクＭであって、耳掛け部２は、装着者の右の耳に装着される第１の環状体２１と、装着者の左の耳に装着される第２の環状体２２とを有し、マスク本体１は、帯状部の端部を接合したものであり、帯状部材の端部の接合前に、第１の環状体２１と第２の環状体２２の輪の中に、端部を接合していない帯状部材を通して、その後、帯状部材の端部を接合して、マスク本体１を筒状に構成したものである。【選択図】図３
0003227122.tif 000002
【実用新案登録請求の範囲】
【請求項１】
使用者の顔面の少なくとも一部を覆うためのマスク本体と、
このマスク本体の両側に位置する耳掛け部とを備えたマスクであって、
前記耳掛け部は、装着者の右の耳に装着される第１の環状体と、前記装着
者の左の耳に装着される第２の環状体とを有し、
前記マスク本体は、帯状部材の端部を接合したものであり、
前記帯状部材の端部の接合前に、前記第１の環状体と前記第２の環状体の輪
の中に、前記端部を接合していない前記帯状部材を通して、その後、前記帯状部
材の端部を接合して、前記マスク本体を筒状に構成した
ことを特徴とするマスク。
【請求項２】
使用者の顔面の少なくとも一部を覆うためのマスク本体と、
このマスク本体の両側に位置する耳掛け部とを備えたマスクであって、
前記マスク本体は、帯状部材の端部を接合して筒状体を形成し、
前記耳掛け部は、装着者の右の耳に装着される第１の耳掛け部と、前記装
着者の左の耳に装着される第２の耳掛け部とを有し、
前記マスク本体の前記筒状体の中に前記第１の耳掛け部を通した後、前記第
１の耳掛け部を環状に構成し、
前記マスク本体の前記筒状体の中に前記第２の耳掛け部を通した後、前記第
２の耳掛け部を環状に構成した
ことを特徴とするマスク。
【請求項３】
マスク本体は、正面視、縦Ｗ、横Ｌ(Ｗ＜Ｌ)であり、
装着者がマスクを装着する前にあっては、耳掛け部は、マスク本体の前記
横Ｌ方向への移動が許容されている
ことを特徴とする請求項１又は請求項２記載のマスク。
【考案の詳細な説明】
【技術分野】
【０００１】
本考案は、マスクに係り、特に、簡易かつ迅速に製造することができるマ
スクに関する。
【背景技術】
【０００２】
従来、紙、布、不織布等の通気性を有する通気性素材からなる長方形状のマスク本体の長辺に平行に沿って折りたたんで設けられた折り目を有し、前記長方形状のマスク本体の両短辺側に位置する前記折り目の両端部を溶着、接着、縫製等により拘束されたマスクがある(特許文献１参照)。
【先行技術文献】
【特許文献】
【０００３】
【特許文献１】特開平１１−９９２１６号公報
【考案の概要】
【考案が解決しようとする課題】
【０００４】
ところが、上記のマスクにあっては、紙、布、不織布等の通気性を有する通気性素材からなる長方形状のマスク本体の長辺に平行に沿って折りたたんで折り目を形成し、その後、長方形状のマスク本体の両短辺側に位置する前記折り目の両端部を溶着、接着、縫製等せねばならず、手間を要し、簡易かつ迅速に製造することができないという問題点が生じた。
【０００５】
本考案は、上記の問題点を考慮してなされたマスクを提供することにある。
【課題を解決するための手段】
【０００６】
請求項１記載のマスクは、使用者の顔面の少なくとも一部を覆うためのマスク本体と、このマスク本体の両側に位置する耳掛け部とを備えたマスクであって、前記耳掛け部は、装着者の右の耳に装着される第１の環状体と、前記装着者の左の耳に装着される第２の環状体とを有し、前記マスク本体は、帯状部材の端部を接合したものであり、前記帯状部材の端部の接合前に、前記第１の環状体と前記第２の環状体の輪の中に、前記端部を接合していない前記帯状部材を通して、その後、前記帯状部材の端部を接合して、前記マスク本体を筒状に構成したものである。
【０００７】
また、請求項２記載のマスクは、使用者の顔面の少なくとも一部を覆うためのマスク本体と、このマスク本体の両側に位置する耳掛け部とを備えたマスクであって、前記マスク本体は、帯状部材の端部を接合して筒状体を形成し、前記耳掛け部は、装着者の右の耳に装着される第１の耳掛け部と、前記装着者の左の耳に装着される第２の耳掛け部とを有し、前記マスク本体の前記筒状体の中に前記第１の耳掛け部を通した後、前記第１の耳掛け部を環状に構成し、前記マスク本体の前記筒状体の中に前記第２の耳掛け部を通した後、前記第２の耳掛け部を環状に構成したものである。
【０００８】
また、請求項３記載のマスクは、請求項１又は請求項２記載のマスクにお
いて、マスク本体は、正面視、縦Ｗ、横Ｌ(Ｗ＜Ｌ)であり、装着者がマスクを装
着する前にあっては、耳掛け部は、マスク本体の前記横Ｌ方向への移動が許容さ
れているものである。
【考案の効果】
【０００９】
請求項１記載のマスクによれば、帯状部材の端部の接合前に、第１の環状体と第２の環状体の輪の中に、前記端部を接合していない前記帯状部材を通して、その後、前記帯状部材の端部を接合して、前記マスク本体を筒状に構成したため、簡易かつ迅速に、マスクを製造することができる。
【００１０】
また、請求項２記載のマスクによれば、マスク本体の筒状体の中に第１の耳掛け部を通した後、前記第１の耳掛け部を環状に構成し、前記マスク本体の筒状体の中に第２の耳掛け部を通した後、前記第２の耳掛け部を環状に構成したため、簡易かつ迅速に、マスクを製造することができる。
【００１１】
また、請求項３記載のマスクによれば、上述しました請求項１又は請求項２記載の考案の効果に加え、装着者がマスクを装着する前にあっては、耳掛け部は、マスク本体の横L方向への移動が許容され、許容しても、マスクを装着すれば、右の耳に装着される第１の環状体と、左の耳に装着される第２の環状体にかかる荷重は、相反する方向で、耳掛け部は、耳に固定されるため、従来のように、耳掛け部をマスク本体に固定する必要がない分、マスクを簡易かつ迅速に製造することができる。
【図面の簡単な説明】
【００１２】
【図１】図１は、本考案の一実施例のマスクを正面から撮影した写真である。
【図２】図２は、図１のマスクを背面から撮影した写真である。
【図３】図３は、図１のマスクを立設して、マスク本体と第１の環状体と第２の環状体との関係を示すために、図１のマスクを平面から撮影した写真である。
【図４】図４は、図３の第１の環状体と第２の環状体とがマスク本体の横Ｌ方向への移動が許容されている状態を示すために、撮影した写真である。
【図５】図５は、図４のマスクを正面から撮影した写真である。
【考案を実施するための形態】
【００１３】
本考案の一実施例のマスクを図１乃至図５を参照して説明する。
【００１４】
図１に示すＭはマスクで、マスクＭは、使用者の顔面の少なくとも一部を覆うためのマスク本体１と、このマスク本体１の両側に位置する耳掛け部２と、
を備えている。
【００１５】
耳掛け部２は、装着者の右の耳に装着される第１の環状体２１と、前記装着者の左の耳に装着される第２の環状体２２とを有し、マスク本体１は、帯状部材の端部を接合したものである。マスク本体１は、帯状部材の端部を接合したものである。
【００１６】
マスク本体１は、例えば、ガーゼ、布帛、浴衣地等の布地で形成され、正面視、縦Ｗ、横Ｌ(Ｗ＜Ｌ)であり、装着者がマスクＭを装着する前にあっては、耳掛け部２は、マスク本体１の横Ｌ方向への移動が許容されている（図３乃至図５参照）。
そして、装着者がマスクＭを装着する前にあっては、耳掛け部２は、マスク
本体１の横Ｌ方向への移動が許容され、許容しても、マスクＭを装着すれば右の
耳に装着される第１の環状体２１と、左の耳に装着される第２の環状体２２にか
かる荷重は、相反する方向で、耳掛け部２は、耳に固定されるため、従来のよう
に、耳掛け部をマスク本体に固定(固定は、例えば、超音波溶着、縫製等による。
)する必要がない分、マスクＭを簡易かつ迅速に製造することができる。
【００１７】
そして、マスクＭを製造するにあたって、帯状部材の端部の接合前に、第１の環状体２１と第２の環状体２２の輪の中に、前記端部を接合していない前記帯状部材を通して、その後、前記帯状部材の端部を接合(接合は、例えば、縫製による。)して、マスク本体１を筒状（環状）に構成したため、簡易かつ迅速に、マスクＭを製造することができる。
【００１８】
従って、上述したマスクＭによれば、帯状部材の端部の接合前に、第１の環状体２１と第２の環状体２２の輪の中に、前記端部を接合していない前記帯状部材を通して、その後、前記帯状部材の端部を接合して、前記マスク本体１を筒状（環状）に構成したため、簡易かつ迅速に、マスクＭを製造することができる。
【００１９】
上述した実施例においては、帯状部材の端部の接合する前に、第１の環状
体２１と第２の環状体２２の輪の中に、前記端部を接合していない前記帯状部材
を通して、その後、前記帯状部材の端部を接合して、前記マスク本体を筒状（環
状）に構成したが、図示しないが、マスク本体１は、帯状部材の端部を接合して
筒状体（環状体）を形成し、耳掛け部２は、装着者の右の耳に装着される第１の
耳掛け部(例えば、帯状部材、紐状部材)２１と、前記装着者の左の耳に装着され
る第２の耳掛け部(例えば、帯状部材、紐状部材)２２とを有し、マスク本体１は
、帯状部材の端部を接合した筒状体（環状体）であり、マスク本体１の筒状体（
環状体）の中に第１の耳掛け部２１を通した後、第１の耳掛け部２１を環状に構
成（環状は、例えば、第１の耳掛け部２１の端部を結束、縫製等によって、第１
の耳掛け部２１を環状に構成する。）し、マスク本体１の筒状体（環状体）の中
に第２の耳掛け部２２を通した後、第２の耳掛け部２２を環状に構成（環状は、
例えば、第２の耳掛け部２２の端部を結束、縫製等によって、第２の耳掛け部２
２を環状に構成する。）するようにして、マスクＭを製造するようにしても良い
。
【００２０】
このマスクＭによれば、マスク本体１の筒状体（環状体）の中に第１の耳掛
け部２１を通した後、第１の耳掛け部２１を環状に構成し、マスク本体１の筒状
体（環状体）の中に第２の耳掛け部２２を通した後、第２の耳掛け部２２を環状
に構成したため、簡易かつ迅速に、マスクＭを製造することができる。
【符号の説明】
【００２１】
Ｍ      マスク
１      マスク本体
２      耳掛け部
２１    第１の環状体
２２    第２の環状体
【図１】
0003227122.tif 000003
【図２】
0003227122.tif 000004
【図３】
0003227122.tif 000005
【図４】
0003227122.tif 000006
【図５】
0003227122.tif 000007